(57)【特許請求の範囲】
【請求項１】
便器装置に取り付けられる脱臭装置であって、
便器本体の後部に配置されるベースプレートに配置される脱臭ユニットと、
前記ベースプレートに形成され、前記脱臭ユニットに接続される吸気口部と、
前記ベースプレートにおいてスライド移動されて取り付けられるフィルタと、
前記ベースプレートに形成され、前記フィルタのスライド移動を案内するガイド部と、を備え、
前記フィルタは、前記ベースプレートに取り付けられたときに、前記ベースプレートの側縁側の端部が、前記ベースプレートを覆うカバー部の側部の下端よりも下側に配置され、
前記ガイド部は、前記ベースプレートの側縁に向かって下り傾斜する傾斜部を有する脱臭装置。
【請求項２】
便器装置に取り付けられる脱臭装置であって、
便器本体の後部に配置されるベースプレートに配置される脱臭ユニットと、
前記ベースプレートに形成され、前記脱臭ユニットに接続される吸気口部と、
前記ベースプレートにおいてスライド移動されて取り付けられるフィルタと、
前記ベースプレートに形成され、前記フィルタのスライド移動を案内するガイド部と、を備え、
前記ガイド部における前記フィルタがスライド可能に挿入される挿入開口部は、前記ベースプレート及び前記便器本体の側縁に沿う位置に配置され、
前記フィルタは、前記ベースプレートに取り付けられたときに、前記ベースプレートの側縁側の端部が、前記ベースプレートを覆うカバー部の側部の下端よりも下側に配置され、
前記フィルタの最下端は、前記ベースプレートに取り付けられたときに、前記便器本体における前記ベースプレートが設置される設置面よりも下側に位置する脱臭装置。
【請求項３】
前記フィルタは、可撓性を有する請求項１又は２に記載の脱臭装置。
【発明の詳細な説明】
【技術分野】
【０００１】
本発明は、脱臭装置に関する。
【背景技術】
【０００２】
従来、便器装置に、脱臭機能を備える脱臭装置が設けられることが知られている。このような脱臭装置として、便器装置に形成された空気の吸気口部の近傍にほこり等を集塵するフィルタを配置し、フィルタを便器装置に出し入れ自在に設けたものが提案されている（例えば、特許文献１参照）。特許文献１で提案される脱臭装置は、フィルタをスライドさせて出し入れ自在に構成し、このフィルタを出し入れする開口が便器装置の側面に配置されるように形成されている。
【先行技術文献】
【特許文献】
【０００３】
【特許文献１】特許第３５９６２１７号公報
【発明の概要】
【発明が解決しようとする課題】
【０００４】
上記の脱臭装置では、ほこり等を集塵するフィルタがあり、定期的にほこり等を取り払う必要があるため、フィルタを出し入れする開口が便器装置の側面に形成され、フィルタの一部が使用者によく見えるように構成されている。このため、便器装置の側面の美観を向上させることを阻害する要因となっていた。また、便器装置によっては、脱臭装置を備えるものと備えないものがあり、それぞれの便器装置に適した部品を用意しなければならないため、必要な部品点数が増え、製造コストがかかっていた。
【０００５】
本発明は、脱臭装置が設けられる便器装置の美観を向上させるとともに、製造コストを低減することのできる脱臭装置を提供することを目的とする。
【課題を解決するための手段】
【０００６】
上記目的を達成するため本発明は、便器装置（例えば、後述の便器装置２）に取り付けられる脱臭装置（例えば、後述の脱臭装置１）であって、便器本体の後部に配置されるベースプレート（例えば、後述のベースプレート１０）に配置される脱臭ユニット（例えば、後述の脱臭ユニット３０）と、前記ベースプレートに形成され、前記脱臭ユニットに接続される吸気口部（例えば、後述の吸気口部１３）と、前記ベースプレートにおいてスライド移動されて取り付けられるフィルタ（例えば、後述のフィルタ４０）と、前記ベースプレートに形成され、前記フィルタのスライド移動を案内するガイド部（例えば、後述のガイド部１２）と、を備え、前記フィルタは、前記ベースプレートに取り付けられたときに、前記ベースプレートの側縁側の端部が、前記ベースプレートを覆うカバー部（例えば、後述のカバー部５）の側部の下端よりも下側に配置される脱臭装置を提供する。
【０００７】
前記ガイド部は、前記ベースプレートの側縁に向かって下り傾斜する傾斜部（例えば、後述の傾斜部１２４）を有することが好ましい。
【０００８】
前記フィルタは、可撓性を有することが好ましい。
【発明の効果】
【０００９】
本発明によれば、脱臭装置が設けられる便器装置の美観を向上させるとともに、製造コストを低減することのできる脱臭装置を提供することができる。
【図面の簡単な説明】
【００１０】
【図１】本実施形態に係る脱臭装置が設けられた便器装置を示す斜視図である。
【図２】本実施形態に係る脱臭装置が設けられた便器装置の側面図である。
【図３】本実施形態の脱臭装置におけるフィルタを裏面側から見た斜視図である。
【図４】本実施形態の脱臭装置におけるベースプレートを裏面側から見た部分斜視図である。
【図５】本実施形態の脱臭装置の使用の状態を示す図であり、（ａ）図はフィルタをベースプレートに挿入する途中を示し、（ｂ）図は、フィルタをベースプレートにセットした状態を示す。
【発明を実施するための形態】
【００１１】
以下、本発明の一実施形態について、図面を参照しながら詳しく説明する。
図１は、本実施形態に係る脱臭装置１が設けられた便器装置２を示す斜視図である。図２は、脱臭装置１が設けられた便器装置２の側面図である。
便器装置２は、住居等のトイレルームに設置され、便器本体２１と、便座２２と、便蓋２３と、洗浄水タンク７と、機能部６と、カバー部５と、を有する。脱臭装置１は、便器装置２に取り付けられ、機能部６の一部を構成している。
【００１２】
以下の説明においては、機能部６から便座２２へと向う方向を前方向とし、その反対方向を後方向とし、これらを前後方向と定義する。また、便器装置２の設置面に平行でかつ前後方向に交差する方向を左右方向と定義する。また、便器装置２の設置面を下方とし、この反対側を上方と定義する。
【００１３】
図１に示すように、便器本体２１は、使用者が必要に応じて腰掛けて使用することのできる所謂洋式便器であり、環状の縁と下方に凹む凹部２１ａを備えている。便器本体２１は、例えば陶製である。
便座２２は、便器本体２１の環状の縁の上に配置され、使用者が着座する部分である。
便蓋２３は、便座２２及び便器本体２１の上面側を覆う蓋である。
【００１４】
洗浄水タンク７は、便器本体２１の後端側の上面に配置され、便器本体２１を洗浄する洗浄水を貯留する。洗浄水タンク７から、排水口を介して洗浄水が便器本体２１へ放出される。
【００１５】
機能部６は、便器本体２１の後部上面で、洗浄水タンク７の前側に配置される。機能部６は、局部洗浄ノズル（不図示）や、便座２２を開閉する機構等、便器装置２の各種機能を実行するために必要な機器を有する部分である。
【００１６】
図２に示すように、カバー部５は、便器本体２１の後部に配置されて機能部６を覆うものである。カバー部５は、前方から後方に向かうにしたがって背が高くなるように上り傾斜して形成される。カバー部５の下端部は、便器本体２１の上面と略同じ高さに位置する。
【００１７】
図１に戻って、脱臭装置１は、ベースプレート１０と、脱臭ユニット３０と、フィルタ４０と、を有する。
ベースプレート１０は、便器本体２１の後方上面に配置され、機能部６の前方側に位置する。ベースプレート１０は、機能部６を構成する機器の一部が設置される土台となる板状の部材である。ベースプレート１０は、底面部１１と、ガイド部１２（図４参照）と、吸気口部１３（図４参照）とを有する。
底面部１１は、略長方形の形状を有し、一対の長辺が便器装置２の左右方向に延びる。一対の長辺のうちの一方の長辺が、ベースプレート１０の前縁１０ａを構成し、一対の短辺は、ベースプレート１０の側縁１０ｂを構成する。
【００１８】
吸気口部１３は、ベースプレート１０の側縁１０ｂから底面部１１の内側へ奥まったところの前縁１０ａ近傍に形成される貫通孔である。吸気口部１３は、便器本体２１の凹部２１ａの上方にあり、凹部２１ａ内の臭気を機能部６の内部へ取り込む入り口を構成する。
ガイド部１２については、後に詳述する。
【００１９】
脱臭ユニット３０は、ベースプレート１０の底面部１１の上に配置され、便器本体２１から取り込まれた臭気を脱臭する。脱臭ユニット３０は、吸着材３１と、ファン３２と、ユニットカバー３３と、を有する。
ユニットカバー３３は、略Ｌ字状の形状を有し、吸気口部１３及び吸着材３１を覆うとともに、臭気の導入経路を構成するカバーである。ユニットカバー３３が吸気口部１３を覆うことで、脱臭ユニット３０と吸気口部１３とが接続される。ユニットカバー３３は、内部が中空に形成されている。
吸着材３１は、略立方体の臭気を吸着する略立方体の部材である。吸着材３１は、活性炭等で形成され、ユニットカバー３３により構成される便器本体２１からの臭気の導入経路に配置される。
ファン３２は、吸着材３１に隣接し、臭気の導入経路の下流に配置される。ファン３２は、ユニットカバー３３に接続されて、吸着材３１を通過した空気を吸い込んで外部に排出する。
【００２０】
図３は、フィルタ４０を裏面側（下側）から見た斜視図である。フィルタ４０は、脱臭ユニット３０に流入する空気からほこり等を除去する集塵フィルタである。フィルタ４０は、略長方形の可撓性の部材で構成される。フィルタ４０は、操作部４１と、薄肉部４２と、係合部４３と、フィルタ本体４４と、を有する。
【００２１】
操作部４１は、フィルタ４０の長手方向の一端、すなわちフィルタ４０がベースプレート１０に取り付けられた状態で、ベースプレート１０の側縁１０ｂ側の端部に配置され、フィルタ４０の上面から厚さ方向の下方へ延びる。
【００２２】
薄肉部４２は、操作部４１に隣接する面の一部である。薄肉部４２は、フィルタ４０を形成している板状の部材の枠部分の厚さＴよりも薄く形成されている。図３に示すように、薄肉部４２は、裏面側から見ると、フィルタ４０の裏面が上方に向かって窪んでいる。
【００２３】
係合部４３は、フィルタ４０の長手方向の略中央部に配置される。係合部４３は、短手方向の中央側に２つのコの字状の切込みで形成される舌片部４３ａと、この舌片部４３ａの先端に上方に向かって突出する係合突起４３ｂ（図５（ｂ）参照）を有する。係合部４３は、ベースプレート１０の対応する部分に係合し、フィルタ４０を差し込んだ際にベースプレート１０から落下することを防止するために設けられている。
【００２４】
フィルタ本体４４は、フィルタ４０の長手方向における他端側に配置された略長方形の部分である。フィルタ本体４４は、格子状の網目部分や不織布等の通気性の部材により構成される。
【００２５】
図４は、ベースプレート１０を裏面側（下側）から見た部分斜視図であり、ガイド部１２及び吸気口部１３を示している。図４を参照して、ガイド部１２ついて説明する。
【００２６】
ガイド部１２は、ガイド凹部１２１と、第１保持部１２２と、第２保持部１２３と、傾斜部１２４と、挿入開口部１２５と、係合凹部１２６と、を有する。
【００２７】
ガイド凹部１２１は、フィルタ４０のスライド移動を案内させるようにベースプレート１０の底面部１１の裏面に形成された略長方形の窪みである。ガイド凹部１２１は、フィルタ４０よりも厚さ方向の高さが高く、長さ及び幅がわずかに大きく形成される。ガイド凹部１２１は、長辺がベースプレート１０の前縁１０ａ側に沿うとともに、一方の短辺が前縁１０ａ側近傍の側縁１０ｂに沿うように配置される。このため、ベースプレート１０の側縁１０ｂには、ガイド凹部１２１により形成される切り欠き１２１ａが形成される。
【００２８】
第１保持部１２２は、ガイド凹部１２１におけるベースプレート１０の側縁１０ｂ側の端部から底面部１１の内側へ離間した位置で、ガイド凹部１２１の短手方向の両端から互いに近づく方に延出する一対の突出片である。
第２保持部１２３は、第１保持部１２２よりもさらに底面部１１の内側に離間した位置で、吸気口部１３に隣接する。第２保持部１２３は、ガイド凹部１２１の短手方向の一方の端部から他方の端部まで連続する面である。
第１保持部１２２及び第２保持部１２３は、いずれもガイド凹部１２１に収容されたフィルタ４０が落下しないように保持し、ガイド凹部１２１の上面に対向する支持面を構成する。
【００２９】
傾斜部１２４は、ガイド部１２の長手方向に沿って形成される。傾斜部１２４は、ガイド凹部１２１の長手方向の端部近傍に形成され、吸気口部１３側からベースプレート１０の側縁１０ｂに向かって延びる突起であり、ガイド凹部１２１の短手方向の一方と他方に一対形成される。傾斜部１２４は、ガイド凹部１２１の上面から下方に向かって突出し、吸気口部１３側からベースプレート１０の側縁１０ｂ側に進むにしたがって上下方向の幅が広くなり、下り傾斜するように形成される。
【００３０】
挿入開口部１２５は、図４に示されるように、傾斜部１２４の下端と、第１保持部１２２との間の空間に形成される。なお、ベースプレート１０の側縁１０ｂに形成されたガイド凹部１２１の端部の切り欠き１２１ａには、傾斜部１２４が位置しており、この切り欠き１２１ａにフィルタ４０を挿入するものではない。
【００３１】
係合凹部１２６は、ガイド凹部１２１の長手方向の略中央部における上面側の面に形成される。係合凹部１２６は、フィルタ４０の短手方向に延びる溝であり、フィルタ４０の係合突起４３ｂの形状に対応している。
【００３２】
図５（ａ）及び図５（ｂ）は、脱臭装置１の使用の状態を示す図であり、図５（ａ）はフィルタ４０がベースプレート１０の裏面側に挿入されて、スライド移動している状態を示し、図５（ｂ）は、フィルタ４０をベースプレート１０にセットした状態を示す。図５（ａ）及び（ｂ）を参照して、フィルタ４０をガイド部１２０に挿入する手順を説明する。
【００３３】
図５（ａ）に示すように、フィルタ４０の操作部４１を操作して、挿入開口部１２５にフィルタ４０を挿入して奥へ押しこむ。このとき、フィルタ４０は、ガイド凹部１２１の上面と第１保持部１２２との間を進み、さらにガイド凹部１２１の上面と第２保持部１２３の方へ進む。ガイド凹部１２１におけるベースプレート１０の側縁１０ｂ側には、傾斜部１２４が形成されており、フィルタ４０は斜めに傾斜した状態でガイド部１２に挿入される。フィルタ４０の長手方向の一方側には、フィルタ４０を構成する板部材の枠の厚さＴよりも薄い薄肉部４２が形成され、また、他方側には格子状の網目に不織布を設けたフィルタ本体４４が配置されているので、フィルタ４０は容易に撓んでガイド部１２に挿入され、フィルタ４０が吸気口部１３に取り付けられる。
【００３４】
図５（ｂ）に示すように、フィルタ４０をガイド凹部１２１の最も奥まで進めると、フィルタ４０のフィルタ本体４４がベースプレート１０の底面部１１に形成された吸気口部１３に位置する。便器本体２１の凹部２１ａから取り込まれる臭気は、吸気口部１３から吸い込まれ、フィルタ本体４４を通過してユニットカバー３３の内部を流通する。臭気は、ファン３２により吸引されて、吸着材３１を通過し便器装置２外に排出される。
【００３５】
一方、フィルタ４０は、ガイド凹部１２１の挿入開口部１２５側では、傾斜部１２４に沿って下方に傾斜している。フィルタ４０の薄肉部４２が撓むことで、係合部４３に形成された舌片部４３ａの先端がわずかに上方へ移動し、舌片部４３ａの先端に形成された係合突起４３ｂがガイド凹部１２１の係合凹部１２６に係合する。
【００３６】
フィルタ４０の操作部４１側は、傾斜部１２４に沿って撓み、薄肉部４２が傾斜した状態でガイド凹部１２１に収容される。図５（ｂ）に示すように、フィルタ４０がガイド部１２０完全に収容された状態では、フィルタ４０の操作部４１は、ベースプレート１０における底面部１１の下面より下にあり、かつベースプレート１０の側縁１０ｂよりも内側にある。
【００３７】
図２に戻って、上述の通り、フィルタ４０の端部である操作部４１がベースプレート１０における底面部１１の下面より下にあり、かつ側縁１０ｂよりも内側にある状態では、フィルタ４０の操作部４１は、機能部６を覆うカバー部５の下端部よりも下方に位置する。このため、カバー部５の下端部は、すっきりとした直線状に形成されている。カバー部５とフィルタ４０とは互いに干渉していない。
【００３８】
さらに図１に戻ると、使用時には、使用者は上方から下方を見下ろすように使用するため、フィルタ４０は視認されにくい。
【００３９】
本実施形態によれば、以下の効果が奏される。
本実施形態では、便器装置２に取り付けられる脱臭装置に、便器本体２１の後部に配置されるベースプレート１０に配置される脱臭ユニット３０と、ベースプレート１０に形成され、脱臭ユニット３０に接続される吸気口部１３と、ベースプレート１０においてスライド移動されて取り付けられるフィルタ４０と、ベースプレート１０に形成され、フィルタ４０のスライド移動を案内するガイド部１２と、を含んで構成した。また、フィルタ４０を、ベースプレート１０に取り付けられたときに、フィルタ４０におけるベースプレート１０の側縁１０ｂ側の端部を、ベースプレート１０を覆うカバー部５の側部の下端よりも下側に配置した。
【００４０】
本実施形態によれば、フィルタ４０がベースプレート１０に形成されたガイド部１２にスライド可能に取り付けられ、また、この際フィルタ４０におけるベースプレート１０の側縁１０ｂ側の端部（操作部４１）が、カバー部５の下端よりも下側に配置されている。このため、脱臭装置１が取り付けられた便器装置２を使用する際上方から見ると、フィルタ４０は見えにくいので、便器装置２の美観が向上する。また、吸気口部１３がカバー部５の下端よりも下側に配置されているので、ベースプレート１０を覆っているカバー部５の下端部が直線状に形成されてすっきりとした外観になる。さらに、カバー部５の下端部が直線状に形成され、カバー部５にフィルタ４０を挿入する開口等を形成する必要がないために、脱臭装置１を設ける便器装置２用と、設けない便器装置用とにそれぞれ部品を用意する必要がなくなり、製造コストを低減することができる。さらに、フィルタ４０の操作部４１を操作する際、このフィルタ４０の端部がカバー部５よりも下側にあるために、カバー部５を介さずにフィルタ４０を外すことが可能となり、操作性が向上する。
【００４１】
本実施形態によれば、ガイド部１２を、ベースプレート１０の側縁１０ｂに向かって下り傾斜する傾斜部１２４を含んで構成した。これにより、フィルタ４０がベースプレート１０の裏面で斜め下方に傾斜した状態でベースプレート１０に取り付けられる。よって、外部から視認されにくく、上記と同様の効果を奏する。
【００４２】
本実施形態によれば、フィルタ４０を、可撓性を有するもので構成した。これにより、フィルタ４０がガイド部１２の傾斜部１２４に沿って撓み、ベースプレート１０の裏面で斜め下方から上方に向かって傾斜した状態でベースプレート１０に取り付けられる。よって、上記と同様の効果を奏する。
【００４３】
なお、本発明は上記実施形態に限定されるものではなく、本発明の目的を達成できる範囲での変形、改良等は本発明に含まれる。
例えば、上記実施形態では、フィルタ４０はベースプレート１０の吸気口部１３に設けられているが、これに限られない。フィルタ４０は、脱臭ユニットにおける臭気の導入経路に配置された臭気の吸着材の上流にあればよい。
また、フィルタ４０は略長方形に形成されているが、フィルタの形状は特に限定されない。
【符号の説明】
【００４４】
１    脱臭装置
２    便器装置
１０  ベースプレート
１２  ガイド部
１３  吸気口部
２１  便器本体
３０  脱臭ユニット
４０  フィルタ
１２４  傾斜部
【図１】
0006692165.tif 000002
【図２】
0006692165.tif 000003
【図３】
0006692165.tif 000004
【図４】
0006692165.tif 000005
【図５】
0006692165.tif 000006